(57)【要約】【課題】枠状クラスターパネルが設けられた車両の車載用電子機器収納部に収納される電子機器の操作パネルやモニターの寸法を大きくできる車載用電子機器を提供する。【解決手段】車両の電子機器収納凹部２０の開口部周囲に取付けられる枠状クラスターパネル２１を挿通するパネル支持アームを電子機器本体１に移動自在に設け、電子機器本体１を電子機器収納凹部２０に収納し、パネル支持アームの先端に取付けたパネルホルダー２に縦横の外径寸法（ａ１×ｂ１）が前記枠状クラスターパネルの内法面積（Ａ×Ｂ）より大きい操作パネル３またはモニターを取付け、操作パネル３またはモニターを枠状クラスターパネル２１より前側に配置した。【選択図】　　　　図１
2004001604.tif 000002
【特許請求の範囲】
【請求項１】
車両の電子機器収納凹部の開口部周囲に取付けられる枠状クラスターパネルを挿通するパネル支持アームを電子機器本体に移動自在に設け、前記電子機器本体を前記電子機器収納凹部に収納し、前記パネル支持アームの先端に取付けたパネルホルダーに縦横の外径寸法が前記枠状クラスターパネルの内法面積より大きい操作パネルまたはモニターを取付け、前記操作パネルまたはモニターを前記枠状クラスターパネルより前側に配置したことを特徴とする車載用電子機器。
【請求項２】
前記パネル支持アームを前記枠状クラスターパネルに対して出入自在とし、前記操作パネルまたはモニターが前記枠状クラスターパネルより所定距離離れた位置に保持されるように構成した請求項１の車載用電子機器。
【請求項３】
前記操作パネルまたはモニターは回動自在であり前記電子機器の記録媒体挿入口を開閉可能とした請求項１または２の車載用電子機器。
【発明の詳細な説明】
【０００１】
【発明の属する技術分野】
この発明は車載用電子機器に係わり、特に、その操作パネルやモニターの取付構造に関する。
【０００２】
【従来の技術】
従来の車載用音響機器の取付け状態の例を図９により説明する。図９に示す車両の電子機器収納凹部２０の開口部周囲に取付けられている枠状クラスターパネル２１を取り外し、車載用音響機器筐体２２の側面に取付金具５を取付けた後、取付金具５を車体に取付け、最後に枠状クラスターパネル２１を取付けていた。
【０００３】
図１０に詳しく示すように車載用音響機器筐体２２の前面に固定されて取付けられた操作パネル２４にはＣＤ挿入口２２ａやカセット挿入口２２ｂが設けられていた。
【０００４】
図１１に示す車載用音響機器では車載用音響機器筐体２３の前面に操作パネル２４が矢印で示すようにスライド可能に取付けられており、操作パネル２４がスライドするとＣＤ挿入口２３ａが現れるようになっていた。
【０００５】
【発明が解決しようとする課題】
上記した従来の車載用音響機器では、操作パネル２４は、その縦ａ×横ｂが枠状クラスターパネル２１の開口部の縦Ａ×横Ｂの中に入るため、枠状クラスターパネル２１の開口部寸法に左右され、汎用の車載用音響機器として使用する場合は枠状クラスターパネルの開口部寸法の最も小さい車両に合わせて設計しなければならなかった。従って、操作パネルの縦ａ×横ｂの寸法を小さくしなければならなかった。
【０００６】
図１０に示すように車載用音響機器筐体２２の前面に固定された操作パネル２４にＣＤ挿入口２２ａやカセット挿入口２２ｂが設けられている場合、操作パネル２４の前面に設けられる表示器や操作キーのためのスペースはＣＤ挿入口２２ａやカセット挿入口２２ｂを除いた部分となり、操作パネル２４の表示器や操作キーのためのスペースがさらに狭くなり、操作がしにくいとい問題があった。
【０００７】
図１１に示すように、車載用音響機器筐体２３の前面に操作パネル２４が矢印で示すようにスライド可能に取付けられており、操作パネル２４がスライドするとＣＤ挿入口２３ａが現れるものは、操作パネルにＣＤ挿入口２３ａがない分だけ表示器や操作キーのためのスペースは広くなるが、操作パネル２４を枠状クラスターパネルから出入させるために、その軌跡を考慮すると、固定式のものより縦ａ×横ｂの寸法を小さくしなければなず、やはり、操作がしにくいとい問題があった。
【０００８】
この発明は上記した点に鑑みてなされたものであって、その目的とするところは、枠状クラスターパネルが設けられた車両の車載用電子機器収納部に収納される電子機器の操作パネルやモニターの寸法を大きくできる車載用電子機器を提供することにある。
【０００９】
【課題を解決するための手段】
この発明の車載用電子機器は、車両の電子機器収納凹部の開口部周囲に取付けられる枠状クラスターパネルを挿通するパネル支持アームを電子機器本体に移動自在に設け、前記電子機器本体を前記電子機器収納凹部に収納し、前記パネル支持アームの先端に取付けたパネルホルダーに縦横の外径寸法が前記枠状クラスターパネルの内法面積より大きい操作パネルまたはモニターを取付け、前記操作パネルまたはモニターを前記枠状クラスターパネルより前側に配置したものである。
【００１０】
また、前記車載用電子機器において、前記パネル支持アームを前記枠状クラスターパネルに対して出入自在とし、前記操作パネルまたはモニターが前記枠状クラスターパネルより所定距離離れた位置に保持されるように構成したものである。
【００１１】
また、前記各車載用電子機器において、前記操作パネルまたはモニターは回動自在であり前記電子機器の記録媒体挿入口を開閉可能としたものである。
【００１２】
【発明の実施の形態】
この発明の実施例である車載用音響機器を図面に基づいて説明する。図１はこの発明の第１の実施例である車載用音響機器の取付け状態を示す分解斜視図である。図１に示す車両の電子機器収納凹部２０の開口部周囲に取付けられている枠状クラスターパネル２１を取り外し、車載用音響機器筐体１の側面に取付金具５を取付けた後、取付金具５を車体に取付ける。
【００１３】
その後枠状クラスターパネル２１を電子機器収納凹部２０の開口部周囲に固定する。図１に示すパネルホルダー２は図２〜図７に示すようにパネル支持アーム４、４に回動自在に支持されている。パネル支持アーム４、４は図６に示すように、パネル支持シャーシ１０の左右に一体に形成されており、パネル支持シャーシ１０は車両音響機器筐体１に前後動自在に支持されている。
【００１４】
図６に詳しく示すように、パネル支持シャーシ１０に固定されたモータ１１はギヤ列を介してピニオン１３、１３を回転させる。ピニオン１３、１３は車両音響機器筐体１に固定されたラック１ａ、１ａと噛み合っており、パネル支持シャーシ１０およびそれと一体のパネル支持アーム４、４はモータ１１の回転により車両音響機器筐体１に対して前後動する。
【００１５】
また、パネル支持シャーシ１０に固定されたモータ１２はギヤ列を介してピニオン１５、１５を回転させる。ピニオン１５、１５はパネルホルダー２に固定されたセグメントギヤ２ｂ、２ｂと噛み合っており、モータ１２の回転によりパネルホルダー２は回動する。
【００１６】
図２は車載用音響機器筐体１が電子機器収納凹部２０収納され、枠状クラスターパネル２１が電子機器収納凹部２０の開口部周囲に固定された状態を示している。車両音響機器筐体１にはＣＤプレーヤメカニズム６、カセットメカニズム７およびプリント基板１６が収納されており、パネルホルダー２は引っ込んだ位置にあるが図示していない電源コードに電源が接続されると、図６で説明したモータ１１が回転してパネルホルダー２は図３に示す位置まで前進する。
【００１７】
パネルホルダー２には図７に示すようにコネクター２ａと板ばね２ｃが設けられている。この板ばね２ｃに嵌合して保持されるように図１および図３に示す操作パネル３が図３の矢印方向に押し込まれる。このとき操作パネル３はパネルホルダー２に保持された状態となりコネクター２ａに接続され、操作パネル３が音響機器本体に接続される。
【００１８】
操作パネル３の図１に示す縦ａ１および横ｂ１の寸法は枠状クラスターパネル２１の内法の縦Ａおよび横Ｂの寸法より大きい。このため、操作パネル３の所定のキーを押すことにより操作パネル３を図４の矢印で示すように後退させると、操作パネル３は枠状クラスターパネル２１に当接し、モータ１１の電流が大きくなる。
【００１９】
すると、モータ１１は停止され、その後所定量だけ逆転され、図４に示すｄの距離だけ操作パネル３は枠状クラスターパネル２１から離れた位置まで前進される。このように操作パネル３が枠状クラスターパネル２１から離されるので振動により操作パネル３が枠状クラスターパネル２１と擦れることが防止される。操作パネル３は強く引張ることにより板ばね２ｃが撓んで操作パネル３をパネルホルダー２から外すことができる。
【００２０】
操作パネル３の所定のキーを押すと、モータ１２が回転され、操作パネル３は図５に示す位置まで傾動される。この状態でＣＤ８やカセット９を挿入し、また排出できる。その後操作パネル３はキー操作により元の直立状態に戻される。実施例の操作パネル３は枠状クラスターパネル２１の内法寸法より大きくしているので表示部や操作キーの占める面積を大きくすることができて使用しやすい。
【００２１】
図８はこの発明の第２の実施例である車載用電子機器の部分を示す分解斜視図である。この例により車載用電子機器としてナビゲーション装置等の広い表示装置が用いられる場合について説明する。
【００２２】
この例では第１の実施例と同様に車載用電子機器１７は車両の収納凹部に収納され、操作パネル支持アーム４が移動することによりパネルホルダー２が枠状クラスターパネルから突出する。
【００２３】
このパネルホルダー２にＬＣＤモニターパネル１４が板ばね２ｃを介して固定され、コネクター２ａにより本体に接続される。ＬＣＤモニターパネル１４にはタッチパネルを備えており装置を操作できる。
【００２４】
また、地図画面等の表示も可能である。こり例でも第１の実施例と同様にＬＣＤモニターパネル１４を傾動させることにより記録媒体の出し入れが可能となる。また、ＬＣＤモニターパネル１４を枠状クラスターパネルの内法寸法より大きくすることができる。
【００２５】
実施例は以上のように構成されているが発明はこれに限られず、例えば、操作パネル等を枠状クラスターパネルの内法寸法より僅かに小さくして傾動可能とする場合も従来の操作パネルをスライドさせるものに比べ操作パネルの寸法を大きくすることができてこの発明の効果が得られる。
【００２６】
また、操作パネルの駆動方式は実施例のものに限られず、他の駆動方式を採用することも可能である。
【００２７】
【発明の効果】
この発明の車載用電子機器によれば、枠状クラスターパネルの開口部寸法に左右されずに車載用電子機器の操作パネルやモニターを大きくできるので、設計の自由度が増大する。また、表示部や操作キーを大きくできるので操作性がよくなり、車両運行の安全性が確保される。
【図面の簡単な説明】
【図１】この発明の第１の実施例である車載用音響機器の取付け状態を示す分解斜視図である。
【図２】同車載用音響機器の取付状態を示す断面図である。
【図３】同車載用音響機器の取付状態の他の状態を示す断面図である。
【図４】同車載用音響機器の取付状態のさらに他の状態を示す断面図である。
【図５】同車載用音響機器の取付状態のさらに他の状態を示す断面図である。
【図６】同車載用音響機器の部分の概略を示す斜視図である。
【図７】同車載用音響機器の部分を示す斜視図である。
【図８】この発明の第２の実施例である車載用電子機器の部分を示す分解斜視図である。
【図９】従来の車載用音響機器の取付け状態の例を示す分解斜視図である。
【図１０】従来の車載用音響機器の例を示す斜視図である。
【図１１】従来の車載用音響機器の他の例を示す斜視図である。
【符号の説明】
１　車載用音響機器筐体、１ａ　ラック
２　パネルホルダー、２ａ　コネクタ、２ｂ　セグメントギヤ、２ｃ　板ばね
３　操作パネル
４　パネル支持アーム
５　取付金具
６　ＣＤプレーヤメカニズム
７　カセットメカニズム
８　ＣＤ
９　カセット
１０　パネル支持シャーシ
１１　モータ
１２　モータ
１３　ピニオン
１４　ＬＣＤモニターパネル
１５　ピニオン
１６　プリント基板
１７　車載用電子機器
２０　電子機器収納凹部
２１　枠状クラスターパネル
２２　車載用音響機器筐体、２２ａ　ＣＤ挿入口、２２ｂ　カセット挿入口
２３　車載用音響機器筐体、２３ａ　ＣＤ挿入口
２４　操作パネル
【図１】
2004001604.tif 000003
【図２】
2004001604.tif 000004
【図３】
2004001604.tif 000005
【図４】
2004001604.tif 000006
【図５】
2004001604.tif 000007
【図６】
2004001604.tif 000008
【図７】
2004001604.tif 000009
【図８】
2004001604.tif 000010
【図９】
2004001604.tif 000011
【図１０】
2004001604.tif 000012
【図１１】
2004001604.tif 000013